Podtech/llm-jp-corpus-v4-ja_patent huggingface dataset:
(57)【要約】      （修正有）【課題】停止中のエレベータのカゴに乗車した瞬間に、扉が開いてる状態で、カゴが作動して、上昇に転じ挟まれる事故、及び乗車の瞬間に上昇して、前の空間に落ちるような事故を防止する。【解決手段】扉が開いてる間は、電気が流れず、完全に停止し、扉を閉まった時点で従来の営業のスイッチが戻ることによって、電気を冷却や回転エネルギーに供給して、運転をする方法を有する事故防止器。【選択図】なし【特許請求の範囲】
【請求項１】
扉が開くと、カゴ（荷台）に電気が切れ、扉を閉めると、カゴ（荷台）に電気が入る。扉の開閉は、エレベーター回転エネルギー分散の電磁工具が請求
【発明の詳細な説明】
【技術分野】
【０００１】
【技術背景】
【０００２】初期のエレベーターは、扉そして格子がしっかりと閉まる時点で、昇降が作動する。
此れは滑車にロープを通し、重い荷物を降ろしたり、吊り上げたりと人の手で仕上る工具と同じ技術過程を表現している。
【発明の概要】
【発明が解決しようとする課題】
【０００３】停止中の荷台（以後カゴ）に乗車の瞬間に作動して、上昇に転じ挟まれる事故。
開いてる扉に乗車の瞬間に上昇して、前の空間に落ちる事故。缶詰状態のカゴの中で中吊りにされる事故。これらは降下につり合う重量に関係があるとみえる。重量の質量（おもり）には、カゴとのつり合う降下とは別の落下運動の時間と加速の法則がある。
【課題を解決するための手段】
【０００４】昇降の乗車運動リニア式エレベーター含め、上下の移動の活動が、エレベーターの従軸の概念となっている。本考はエレベーターを動かしている電気を電磁化で解決しようと考える。扉が開くカゴに電気は流れない。外枠の電磁と鉄骨に留まっているから、閉まって従来通りのエレベーターの営業とするスイッチに戻る。
【発明の効果】
【図面の簡単な説明】
【０００５】正方形の構築体一般である。
１．鋼材はＴの字の鉄骨  ・・  つり合う重量もＴとコ様式
２．鋼材はコの字の鉄骨  ・・  荷台（カゴ）使用
３．Ｔの字とコの字の組合う空間
４．コの字に電磁の板と電流の鉄心とコイル
（説明）
電流がコイルの中の鉄心に誘導、Ｔの字の鉄骨に接着する電磁石である
【発明を実施するための形態】
【０００６】  １．事故にどう動いたら合理性があるか、また、実施者（事業家）の視点から考えると      いう点が、実施の基本となった。
２．カゴと重量（おもり）のつり合う、それぞれが、完全なる停止の操作と乗客を待つ      間の機械のフル回転操作では、完全停止の機械の消耗が少ない方を選ぶ形態を考え      るではないでしょうか。
2014152039.tif 000002
【手続補正書】
【提出日】平成25年4月16日(2013.4.16)
【手続補正１】
【補正対象書類名】図面
【補正対象項目名】全図
【補正方法】変更
【補正の内容】
【図１】
2014152039.tif 000003
【図２】
2014152039.tif 000004
【手続補正２】
【補正対象書類名】明細書
【補正対象項目名】０００５
【補正方法】変更
【補正の内容】
【０００５】
【図１】  乗車口全体図
【図２】  Ａ説明図
【符号の説明】
（図１）  （１）レール兼用の各カド（アングル）
（Ａ）の扉と連携のスイッチ、電位差を電磁化に変え、（１）に固定の流れを            示す。
（図２）  （１）はＴの字に構築とレール。
（２）はコの字にカゴの一部分でＴに組合せ。
これは（１）の各カドを示す。
（Ａ）は固定の概念の中で、電位差方法である。
（３）、（４）の鉄心、コイルは作用の流れ部品。
電位（上下兼用スイッチ）、開け閉め停止に対して固定。
(57)【要約】【課題】はしごに登って不安定な高所では精密機器を使う作業は出来ないし工具や部品を落とす。【解決手段】はしご最上段の空きスペースにふちの高いテーブルの一端を回転自在にして一端をマグネットキャッチなどで開閉自在に固定することで使用しない時は邪魔にならず。使用する時に開いて机上で作業できる【選択図】図２
2014152599.tif 000002
【特許請求の範囲】
【請求項１】
使用しない時は最上段の上で、はしご側面の巾の中に収納してあり、使用する時に広げるとテーブルになる。机付のはしご。
【発明の詳細な説明】
【技術分野】
【０００１】  本発明は、はしごに登って作業しやすくするための考案です。
【背景技術】
【０００２】  梯子に登って複雑で精密な作業するには、両方の手を使いたいのに、高所なので片手で体を支えなければならない。【０００３】  その上に測定器や接続器を使ったり、ハンダ付けするにはどうしても梯子最上段に机が必要です【０００４】  しかし、長い梯子はスライドして伸び縮するためテーブルを付けられなかった。【０００５】  この改善策として、はしご最上段に台が付いたはしごも有るがはしご先端が重いと人力では重くて持ち上げるのは難しい。
【特許文献１】特開平１１−３６８０１６号公報
【発明の開示】
【発明が解決しようとする課題】
【０００６】  解決しようとする問題点は、はしごに登って作業する時、工具や機器が置けて両手で作業出来る事です。
【課題を解決するための手段】
【０００７】  本発明は、はしごのスライドをさまたげない最上段の巾の中におさめる為凹面テーブルの一端を回転自在に固定しもう一端をマグネットキャッチなどで開閉できるように固定する。
不使用時は梯子の巾の中に収納して使用時に広げて使う。
【発明の効果】
【０００８】  本発明のはしごは、道具の置く場所や作業スペースがあるので今まではしごに登って出来なかった作業が出来たり同じ作業でも短時間で出来るので生産性が上がる。
【発明を実施するための最良の形態】
【０００９】  当考案のテーブルをユニットにして、すでに使用しているはしごに後付けしてもよい。
【実施例１】
【００１０】  図１は、本発明の実施例の正面図であって、１〜４は、図２と同様である。【００１１】  本考案の机は、はしご最上踏み段の足を入れる隙間の上に設置する。【００１２】  図３ではすでに所有しているはしごに後付けにする為に本考案のテーブルをユニット化して取り付ければ今使っているはしごもテーブル付はしごになる。【００１３】
【産業上の利用可能性】
【００１４】インターネットの普及で光通信工事の光ファイバーの融着作業をはしごの上でするには、融着器を置くテーブルが必要です。【００１５】またテーブルの縁が高くないと斜めになると置いたものが滑り落ちます。
【図面の簡単な説明】
【００１６】
【図１】本考案のはしごテーブル収納時の説明図である。（実施例１）
【図２】本考案のテーブルを開いて使用時の斜めから見た実施方法を示した説明図である。（実施例１）
【図３】通常のはしごに後付けするためのテーブルを部品化した実施方法を示した説明図である。（実施例２）
【符号の説明】
【００１７】１  はしご本体
２  ストッパー
３  テーブル
４  マグネットキャッチ
５  ユニットフレーム
【図１】
2014152599.tif 000003
【図２】
2014152599.tif 000004
【図３】
2014152599.tif 000005
(57)【要約】【課題】屋根裏収納室への収納物の出し入れを腰を屈めることなく、立った状態でできるようにし、体への負担を軽減する。【解決手段】屋根裏収納室１の下の階には、居室２１、２２、２３が設けてあり、1階と２階を連絡する階段３が設けてある。居室２２及び廊下３１には、居室２２の天井Ｃ１より低く、１．４ｍを越えない高さとした収納室５１、５２が設けてあり、この収納室の天井Ｃ２の上面は屋根裏収納室１の内部または側縁に接する位置に設けて屋根裏収納室１の作業床１２となる。作業床１２は、屋根裏収納室１の床面１１よりも７０〜１００ｃｍ程度低くなる。居室２３の収納室５２の背面に接した位置に屋根裏収納室１に連絡するアクセス階段３５が設けてあり、屋根裏収納室１にアクセスして作業床に立った状態で収納物の出し入れを無理なく行うことができる。【選択図】図３
2014152518.tif 000002
【特許請求の範囲】
【請求項１】
屋根裏収納室を形成した建築物であって、屋根裏収納室の内部または側縁に接する位置に屋根裏の床面の高さより低い位置に天井を有する収納室を設け、この収納室の天井に連絡するアクセス階段を設け、収納室の天井を収納物の出し入れの際の作業床とした屋根裏収納室を有する建物。
【発明の詳細な説明】
【技術分野】
【０００１】
本発明は、日常的に使用しないものを収納する屋根裏収納室を有する住宅に関し、高さの低い天井裏の収納室への収納物の出し入れを体に負担をかけることなく容易にできるようにした屋根裏収納室を設けた住宅に関する。
【背景技術】
【０００２】
日常的には使用しないものを収納するための空間を地下室や屋根裏に設けることが行われており、屋根裏を利用することが特許文献１（特開２００７−６８１９８号公報）、特許文献２（特許第３０６３８１３号公報）等に開示されている。
屋根裏の収納空間は、屋根の傾斜部の空間であり、高さが十分でなく大人が立って作業する余裕がないため、収納物の出し入れには体を屈めなければならず体に負担がかかる作業であり、また、収納スペースの奥への収納物の出し入れは屈んだ状態で奥に進まねばならず、特に老人には大きな負担となっていた。
【先行技術文献】
【特許文献】
【０００３】
【特許文献１】特開２００７−６８１９８号公報
【特許文献２】特許第３０６３８１３号公報
【発明の開示】
【発明が解決しようとする課題】
【０００４】
そこで、本発明は屋根裏収納室への収納物の出し入れに際し、腰を屈めることなく立った状態で作業をできるようにして体への負担を軽減し、屋根裏収納室の奥側への収納物の出し入れを容易におこなえるようにするものである。
【課題を解決するための手段】
【０００５】
屋根裏収納室を形成した建築物であって、屋根裏収納室の内部または側縁に接する位置に屋根裏の床面の高さより低い位置に天井を有する収納室を設け、この収納室の天井に連絡するアクセス階段を設け、収納室の天井を収納物の出し入れの際の作業床とした屋根裏収納室を有する建物である。
【発明の効果】
【０００６】
収納物を屋根裏収納室に出し入れする場合は、屋根裏室の床面より一段低い作業床面に立った状態で出し入れ作業をすることができるため、従来の屋根裏収納室に比較して体に負担をかけることなく、作業を格段に楽におこなうことができる。
【図面の簡単な説明】
【０００７】
【図１】本発明の屋根裏収納室の平面図。
【図２】本発明の屋根裏収納室の下部階の平面図。
【図３】図２のＡ−Ａ線断面図。
【図４】図２のＢ−Ｂ線断面図。
【図５】従来の屋根裏収納室の断面図。
【発明を実施するための形態】
【０００８】
図１は屋根裏収納室１を設けた２階建ての建物の屋根裏収納室１の平面図であり、図２は屋根裏収納室１の下にあたる階の２階の平面図で、屋根裏収納室１の位置を二点鎖線で示している。図３、図４は屋根裏収納室１及びその下の階の居室の断面図である。
【０００９】
図２に示すように、屋根裏収納室１の下は、居室２１、２２、２３及びバルコニー２９が設けてあり、1階と２階を連絡する階段３が設けてある。
居室２２の内部及び廊下３１に面して、居室２２の天井Ｃ１の高さより低く、例えば、１．４ｍを越えない高さとした収納室５１、５２が設けてある。これらの収納室５１、５２の天井Ｃ２の上面は屋根裏収納室１の内部または側縁に接する位置に設けてあり、天井Ｃ２の上面は同一平面の作業床１２としてある。
この作業床１２は、屋根裏収納室１の床面１１よりも７０〜１００ｃｍ程度低くなるので作業床１２から屋根裏収納室の天井Ｃ３までの高さが２．２ｍ程度となり、収納物を出し入れする際に大人が立ったままで作業することができる空間が確保される。
【００１０】
居室２３の床面は、廊下３１より６０ｃｍほど高くしてあり、廊下３１から階段３２で３段ほど上げてある。
居室２３には、収納室５２の背面に接した位置に屋根裏収納室１に連絡するアクセス階段３５が設けてあり、このアクセス階段３５によって屋根裏収納室１にアクセスすることができる。そのため、作業床１２までの階段３５の段数を少なくすることができると共に、図４に示すように、居室２３の直下の居室の天井高をその分だけ高くすることができる。
屋根裏収納室１は、居室２２、階段３５、及び廊下３１の上に位置し、作業床１２の部分を除いて収納物を置く平面または、適宜の段差を設けて雛壇としてあり、収納物の整理をしやすくしてある。
必要に応じて、屋根裏収納室１に区画用の仕切りや、小物を整理しやすいように棚を設置する。
【００１１】
収納物の出し入れの際には、居室２３の屋根裏収納室１に通じるアクセス階段３５を使用して屋根裏に昇り、作業床１２に立って収納物の出し入れ作業することができるので、腰を屈めることなく出し入れすることが可能である。
屋根裏に通じる階段は一つだけに限ることはなく、適宜の位置に設置することが可能である。
【符号の説明】
【００１２】
１    屋根裏収納室
１２  作業床
２１−２３  居室
３    階段
３１  廊下
３２  階段
３５  アクセス階段
５１、５２    収納室
C    天井
【図５】
2014152518.tif 000003
【図１】
2014152518.tif 000004
【図２】
2014152518.tif 000005
【図３】
2014152518.tif 000006
【図４】
2014152518.tif 000007
(57)【要約】【課題】夏排気されている、室外空気よりも低い温度の室内空気のもつ冷エクセルギー、そして冬排気されている廃棄される室外空気より高い温度の室内空気のもつ温エクセルギー、を活用するものはあっても、太陽熱によって造られる温エクセルギー、搬送のためのエクセルギーを組み込んで活用する室外機はなかった。熱交換する室外機はあっても、室内に通風環境を形成する室外機はなかった。【解決手段】本発明では、太陽熱で高温にしたチャンバーと、断熱して温度変化を抑えたチャンバーの2室を用意し、昼夜により温度変動する室外空気、室内空気の4つの空間の空気と、熱のエクセルギーの差を読み取り、適切な選択によって、効率よく室外機を作動させ、かつ、熱交換された室内換気を実現する。さらに夏期はその換気により、室内の他の開口部からの自然の風の導入を促す。【選択図】図１
2014152996.tif 000002
【特許請求の範囲】
【請求項１】
採光と、室内換気のできるチャンバーと一体となったエアコンの室外機
【発明の詳細な説明】
【技術分野】
【０００１】
室外機
【背景技術】
【０００２】
排熱を活用する室外機がある。
【発明の概要】
【発明が解決しようとする課題】
【０００３】
本発明は、採光量・断熱量・換気量を調整できるふたつのチャンバーと、そのチャンバーと室内および室外の４つの空間の空気と熱のやり取りが調整できる室外機からなる。
夏冬それぞれに、4つの空間の冷エクセルギー、温エクセルギーを比較し、最適なものをそれぞれの空気か、直接の熱のどちらかによって、室外機に導き、室外機の効率を上昇させ、かつ、室内の換気熱交換の効率、夏の室内の通風力の増強をもたらす。
【０００４】
夏排気されている、室外空気よりも低い温度の室内空気のもつ冷エクセルギー、そして冬排気されている廃棄される室外空気より高い温度の室内空気のもつ温エクセルギー、を活用するものはあっても、太陽熱によって造られる温エクセルギー、搬送のためのエクセルギーを組み込んで活用する室外機はなかった。
【０００５】
熱交換する室外機はあっても、室内に通風環境を形成する室外機はなかった。
【課題を解決するための手段】
【０００６】
本発明では、太陽熱で高温にしたチャンバーと、断熱して温度変化を抑えたチャンバーの2室を用意し、昼夜により温度変動する室外空気、室内空気の4つの空間の空気と、熱のエクセルギーの差を読み取り、適切な選択によって、効率よく室外機を作動させ、かつ、熱交換された室内換気を実現する。さらに夏期はその換気により、室内の他の開口部からの自然の風の導入を促す
【発明の効果】
【０００７】
小規模でかつ高効率のヒートポンプが誕生しつつある時代、さらに、穏やかでゆっくりした排熱を実現できるしくみがあれば、エアコンの地球環境に及ぼす負荷は、ほとんど、無視できる領域になると考えられる。本発明は、室外に対し、ゆっくりと排熱してゆく室外機であり、そのしくみを現実の物とできる。また、構成要素の一部であるチャンバーは、洗濯物干しとしても活用でき、さらに廃熱を潜熱として抑えることができると同時に、機能が豊富で、普及しやすい。
【図面の簡単な説明】
【０００８】
【図１】採光換気室外機の説明図
【実施例】
【０００９】
全体の構成
採光チャンバー１、断熱チャンバー２、それぞれには室内側通風扉３、屋外側通風扉４がついている。両チャンバーにはそれぞれ採熱面５があり、室外機６に接続している。室外機６には、室内、室外、二つのチャンバーに繋がる４つの通風管７と、分配調整器８がある。
【００１０】
採光チャンバー１
太陽光を受け入れ、無駄に逃がさない構造のチャンバー。真空ペアガラス等により、チャンバー内に太陽光を導く。その他の部分はよく断熱されている。
【００１１】
断熱チャンバー２
太陽光によって暖められることのないようにするチャンバー。良く断熱されている。
【００１２】
室内側通風扉３
断熱性の高い開閉調整できる扉。開放時には室内とチャンバー内の空気の移動が容易になる
【００１３】
室外側通風扉４
断熱性の高い開閉調整できる扉。開放時には室外とチャンバー内の空気の移動が容易になる。
【００１４】
採熱面５
金属製のヒートパイプ等で、室外機のヒートポンプ部分に直接熱伝導できるようにしている面。採光チャンバーでは、太陽光を直接受け止められる位置に設置する
【００１５】
室外機６
ヒートパイプが直接採光面５に接続できている。４つの空間を結ぶ４本の通風管７に分配調整器８をはさんで結ばれている。
【００１６】
通風管７
ふたつのチャンバーと、室内、室外の４つの空間を結ぶ通風管
【００１７】
分配調整器８
室外機の吸気側と排気側と、４つの通風管の間をつないだり閉じたりする分配調整器。
【符号の説明】
【００１８】
１  採光チャンバー
２  断熱チャンバー
３  室内側通風扉
４  屋外側通風扉
５  採熱面
６  室外機
７  通風管
８  分配調整器
【図１】
2014152996.tif 000003
(57)【要約】      （修正有）【課題】靴下の摩耗・損傷しやすい部位が集中することを避け、その装着に適する期間の伸長が可能である靴下を提供する。【解決手段】踵部分に、足の踵の膨らみを収容する凸部２、３を二方向設けることにより、傷んだ部位を体圧のかからない足甲側へ向けて装着することを可能とする。【選択図】図１
2014152437.tif 000002
【特許請求の範囲】
【請求項１】
各種の靴下の踵部分に、足の踵の膨らみを収容する凸部を二ヶ所設計したもの。
【発明の詳細な説明】
【技術分野】  本発明は、ストッキング・ソックス等の、各種の靴下の改良に関する。
【背景技術】  従来は、靴下とは装着の方向は決まっていた。傷みやすい部分にながく使用するための補強を施した靴下や履き心地のよさを求めた靴下は存在したが、複数の装着方向がある靴下は存在しなかった。
【先行技術文献】
【特許文献】
【特許文献１】特開平７−１５０４０１号公報（第３頁、図１）
【特許文献２】特開平１０−１６８６０５号公報（第３頁、図１）
【特許文献３】特開２００１−１４６６０３号公報
【特許文献４】特開２００３−２１３５０１号公報（第４頁、図１）
【発明の概要】
【発明が解決しようとする課題】  靴下は、使用を重ねると靴その他さまざまな部分との摩耗等により生地は傷み、穴があく。しかし、体圧のかかる部分や爪の当たるつま先以外の部分は廃棄するには状態が良好で、まだ使用に耐えるとも思われ廃棄しづらく、しかし、その利用方法は限られ、処分にあたり心乱れる思いがする欠点があった。
【課題を解決するための手段】  各種の靴下の二方向の装着を可能とするよう設計する。
【発明の効果】  傷んだ部位を体圧のかからない足甲側へ向けて装着することにより靴下の摩耗・損傷しやすい部位が集中することを避け、もってその装着に適する期間の伸長が可能である。
【図面の簡単な説明】
【図１】本発明の正面図。
【図２】本発明の側面図。
【発明を実施するための形態】
本発明の踵部分の凸部のひとつに、各人の踵をおさめるよう装着する。
なお、本発明は各種の靴下の構成素材・デザイン・縫合方法・強化の方法等、何らの限定はない。
【符号の説明】１  爪先部
２  踵部（踵部収容凸部）Ａ
３  踵部（踵部収容凸部）Ｂ
４  靴下脚部
【図１】
2014152437.tif 000003
【図２】
2014152437.tif 000004
(57)【要約】【課題】メタボ体型の人が着用しても、表前立てと裏前立てとの重なり合い部分が確保されて下着や肌が見えることのない表前立てと裏前立てとを裏前立てに取り付けた釦で留めるようにした衣服を提供すること。【解決手段】表前立て２と裏前立て３とを裏前立て３に取り付けた釦４で留めるようにしたワイシャツ（衣服）１において、腹部に相当する位置Ｂにおける裏前立て３の幅Ｗｂを、それより上部の位置Ａにおける裏前立て３の幅Ｗａより広く形成する。【選択図】図２
2014152434.tif 000002
【特許請求の範囲】
【請求項１】
表前立てと裏前立てとを裏前立てに取り付けた釦で留めるようにした衣服において、少なくとも腹部に相当する位置における裏前立ての幅を、それより上部の位置における裏前立ての幅より広く形成したことを特徴とする衣服。
【請求項２】
裏前立ての幅を、胸部に相当する位置から漸次増加させ、少なくとも腹部に相当する位置から裾の部分まで均一になるように形成したことを特徴とする請求項１記載の衣服。
【発明の詳細な説明】
【技術分野】
【０００１】
本発明は、衣服に関し、特に、ワイシャツやブラウス等の表前立てと裏前立てとを裏前立てに取り付けた釦で留めるようにした衣服に関するものである。
【背景技術】
【０００２】
従来、ワイシャツやブラウス等の表前立てと裏前立てとを裏前立てに取り付けた釦で留めるようにした衣服においては、表前立てと裏前立てとが重なり合う幅を、台衿の部分から裾の部分まで均一になるように形成されていた。
【発明の概要】
【発明が解決しようとする課題】
【０００３】
このため、上記従来の表前立てと裏前立てとを裏前立てに取り付けた釦で留めるようにした衣服をメタボ体型の人が着用すると、釦で留められた間の表前立て及び裏前立てが引っ張られて歪みが生じ、表前立てと裏前立てとの重なり合い部分がなくなり、隙間から下着や肌が見えるという問題があった。
【０００４】
本発明は、上記従来の表前立てと裏前立てとを裏前立てに取り付けた釦で留めるようにした衣服の有する問題点に鑑み、メタボ体型の人が着用しても、表前立てと裏前立てとの重なり合い部分が確保されて下着や肌が見えることのない衣服を提供することを目的とする。
【課題を解決するための手段】
【０００５】
上記目的を達成するため、本発明の衣服は、表前立てと裏前立てとを裏前立てに取り付けた釦で留めるようにした衣服において、少なくとも腹部に相当する位置における裏前立ての幅を、それより上部の位置における裏前立ての幅より広く形成したことを特徴とする。
【０００６】
この場合において、裏前立ての幅を、胸部に相当する位置から漸次増加させ、少なくとも腹部に相当する位置から裾の部分まで均一になるように形成することができる。
【発明の効果】
【０００７】
本発明の衣服によれば、表前立てと裏前立てとを裏前立てに取り付けた釦で留めるようにした衣服において、少なくとも腹部に相当する位置における裏前立ての幅を、それより上部の位置における裏前立ての幅より広く形成することにより、この衣服をメタボ体型の人が着用し、釦で留められた間の表前立て及び裏前立てが引っ張られて歪みが生じても、幅を広く形成した裏前立てによって表前立てと裏前立てとの重なり合い部分が確保されて下着や肌が見えることがなく、ファッション性を良好に維持することができる。
【０００８】
また、裏前立ての幅を、胸部に相当する位置から漸次増加させ、少なくとも腹部に相当する位置から裾の部分まで均一になるように形成することにより、衣服の着用時に幅を広く形成した裏前立てに皺が生じたり、裏前立てが折れ曲がることを防止し、シルエットを良好に維持することができる。
【図面の簡単な説明】
【０００９】
【図１】本発明の衣服の一実施例のワイシャツを示す正面図である。
【図２】同ワイシャツの裏前立てを露出した状態を示す正面図である。
【発明を実施するための形態】
【００１０】
以下、本発明の衣服の実施の形態を、図面に基づいて説明する。
【００１１】
図１〜図２に、本発明の衣服の構成をワイシャツに適用した一実施例を示す。
このワイシャツ１は、表前立て２と裏前立て３とを裏前立て３に取り付けた釦４で留めるようにしたワイシャツ１において、腹部に相当する位置Ｂにおける裏前立て３の幅Ｗｂを、それより上部の位置Ａにおける裏前立て３の幅Ｗａより広く形成するようにしている。
【００１２】
このように、腹部に相当する位置Ｂにおける裏前立て３の幅Ｗｂを、それより上部の位置Ａにおける裏前立て３の幅Ｗａより広く形成することにより、このワイシャツ１をメタボ体型の人が着用し、釦４で留められた間の表前立て２及び裏前立て３が引っ張られて歪みが生じても、幅を広く形成した裏前立て３によって表前立て２と裏前立て３との重なり合い部分が確保されて下着や肌が見えることがなく、ファッション性を良好に維持することができる。
【００１３】
この場合において、裏前立て３の幅は、より具体的には、腹部に相当する位置Ｂより上部の位置Ａ、すなわち、胸部に相当する位置から漸次増加させ、少なくとも腹部に相当する位置Ｂから裾の部分Ｃまで均一になるように形成することが好ましい。
これにより、このワイシャツ１の着用時に幅を広く形成した裏前立て３に皺が生じたり、裏前立て３が折れ曲がることを防止し、シルエットを良好に維持することができる。
【００１４】
また、裏前立て３の幅は、上部の位置Ａにおける裏前立て３の幅Ｗａが２〜４ｃｍ、腹部に相当する位置Ｂにおける裏前立て３の幅Ｗｂが、その２倍程度の４〜１０ｃｍ、好ましくは、５〜８ｃｍに設定することが好ましい。
腹部に相当する位置Ｂにおける裏前立て３の幅Ｗｂが、４ｃｍ未満であると、釦４で留められた間の表前立て２及び裏前立て３が引っ張られて歪みが生じた場合に表前立て２と裏前立て３との重なり合い部分が確保されにくく、また、１０ｃｍを超えると、裏前立て３に皺が生じたり、裏前立て３が折れ曲がりやすくなり、いずれも適当でない。
【００１５】
以上、本発明の衣服を、その構成をワイシャツに適用した実施例に基づいて説明したが、本発明は上記実施例に記載した構成に限定されるものではなく、その趣旨を逸脱しない範囲において適宜その構成を変更することができるものである。
【産業上の利用可能性】
【００１６】
本発明の衣服は、メタボ体型の人が着用しても、表前立てと裏前立てとの重なり合い部分が確保されて下着や肌が見えることのないという特性を有していることから、ワイシャツの用途に好適に用いることができるほか、例えば、ブラウス等の表前立てと裏前立てとを裏前立てに取り付けた釦で留めるようにした衣服の用途に広く用いることができる。
【符号の説明】
【００１７】
１  ワイシャツ（衣服）
２  表前立て
３  裏前立て
４  釦
Ｗａ  腹部より上部の位置における裏前立ての幅
Ｗｂ  腹部に相当する位置における裏前立ての幅
【図１】
2014152434.tif 000003
【図２】
2014152434.tif 000004
(57)【要約】【課題】従来の発電設備は、火力や水力をタービンの回転エネルギーに変換して発電機を回して発電している。中でも大出力を得られる原子力発電も水蒸気でタービンを回転させ発電する欠かせない存在となっている。しかしこの原子力発電の安全神話も崩壊してしまい、第2第３の大出力発電装置の開発が必須となってきている。【解決手段】本発明は、今まで類を見ない地磁気発電に関するものである。地球を取り巻く地磁気を南極に設置したコイルの中へ通す事で電力を得るというものである。地磁気は地球が存在する限り永遠に存在するエネルギーで２４時間３６５日天候に左右されずに発生している。これを南極に設置しコイルで発電することで、世界中へ放射状に電力が供給でき且つ安全な発電機と言える。これにより、世界から原子力発電所は一掃される。【選択図】図１
2014025364.tif 000002
【特許請求の範囲】
【請求項１】
コイルに電磁場を通すことで電流を発生させる、自然エネルギーを利用した電力発電機であること。
【発明の詳細な説明】
【技術分野】
【０００１】
本発明は、地球の磁力を利用して大容量の発電を効率的に行い得る、磁力発電装置に関し、特に地球の北極N極と南極S極に発電コイルを設け、地球を取り囲む磁力を収束し取り込むことで、永久的な電力を発電し続ける事が可能な装置に関する。
【背景技術】
【０００２】
一般に、電力は水力、風力、火力、あるいは原子力等の自然界のエネルギーを利用して発電機を回転させることによリ得られる。しかし、水力発電や風力発電は自然現象に依存するために常に安定したエネルギーを確保することが困難であり、火力発電では石油や石炭等の燃焼により大気汚染や地球温暖化を引き起こすと共に熱効率が悪く、また、原子力発電では設備費や安全面、環境の面で問題があり、既にその被害が現実のものとなっている。
【先行技術文献】
【特許文献】
【０００３】
【特許文献１】特開２００９−５５７１号公報
【特許文献２】特開２００７−３０６７００号報
【発明の概要】
【発明が解決しようとする課題】
【０００４】
特許文献１では、永久磁石とコイルバネを組み合わせた機械式機構であり、バネの劣化やその他の部位のメンテナンスを要求される。更に、永久磁石と言えども、今現在の磁力は永久ではなく徐々に低下していく為、磁石同士の距離など、機械的では常に微調整が必要となり、管理面への影響が懸念される。
【０００５】
特開文献２では、永久磁石と電磁石の反発作用を利用し、回転エネルギーに変換し、モーター発電を行おうとするもので、発電能力が元電力を上まわる事で、余剰分が発電されるというものである。しかし、電磁石を作動させる為にはやはり元電力が必要となる為、停電時などの対策が懸念される。
【課題を解決するための手段】
【０００６】
本発明によれば、元となるエネルギーは地球上の北極のS極と南極のN極とが作り出す地磁気であり、この壮大なエネルギーを電磁石の逆の発想である、磁力を通して電流を得る方法により発電するものである。これには機械的な部分はなく、電気配線のみで可能となり、例え装置に負荷熱が生じたとしても、外気温マイナス８９℃にもなる極寒の地では発熱は問題視されない。逆に発熱したと仮定しても、発熱を電力に変換する技術は既に存在しており温度差が大きい程、発電量は大きい。これにより発電の効率を飛躍的に増幅する事が可能である。
【発明の効果】
【０００７】
実際に、南極には大陸は在るが北極には大陸が存在しないため、プラントの設置は南極に限られる事は明確である。土地面積は広大にあり、オーストラリアのほぼ二倍に相当する。大陸の９８％は氷で覆われ、その厚さは約１．６キロメートルであるが、流氷上ではない為、流されて設置位置が移動することもない。現実に日本の昭和基地も存在し、その場所が移動した実績もない。土地面積は壮大ではあるが、その中でも特に磁力密度が高いエリアに集中してプラントを建設する必要性がある。おおよそのプラントの広さは、南極大陸がオーストラリアの面積の二倍で454，８３２，０００，０００平方メートルとし、世界最大級原発である日本の柏崎原子力発電所の用地が４，２００，０００平方メートルで、世界の原子力発電所の数が建設中も入れて約６００基存在する。柏崎級の原発が６００基あったとしても、南極大陸の面積にして約０．０５５４％にすぎない。あくまでも出力が原発に相当すると仮定しての理論だが、１００倍の広さのプラントになったとしても約５％である。そればかりか、南極から各国へ電力供給が可能となれば、世界中の原発は一掃されることになる。地球磁力は２４時間３６５日天候構わず多少の揺らぎはあるものの、ほぼ安定して発生していて、しかも途切れることもない。現段階でも南極へは各国から科学者らが私用研究の為に訪れている。各国共同での開発も十分可能である。
【図面の簡単な説明】
【０００８】
【図１】従来の電磁石の回路図、電気が流れると磁性した釘を引きつける
【図２】電磁石に永久磁石を接近させることで電流を得る
【図３】地球は大きな磁石でSとN極をもつ
【図４】コイルに電磁場を通す事で電流を得る
【発明を実施するための形態】
【０００９】
図２の如く、通常の電磁石に永久磁石を近づけることで、電流が流れることを利用し、図４の如く、コイルを南極の極力電磁場の強い所へ設置することで電流が得られる。コイル配線の径・コイルの径・コイルの長さは実験ができないので明確に表現するのは難しいが、理論上は発電機として機能する。
【実施例】
【００１０】
図２の如くである。
【産業上の利用可能性】
【００１１】
今日、本当に安全なエネルギー供給設備が本格的に求められている。従来の原子力発電の様に、安定した電力を供給する為には、風力・水力・波力・太陽光だけでは補えないことも明確である。原子力に大きく変わる発電装置として火力発電があるが、ＣＯ２削減に逆行してしまう。本当に安全なエネルギーとは地球のエネルギーを直接、電気等に置きかえられる事が必須である。これだけの発明では実現性は困難なのは当然理解できる。安定した大電力が低価格で安全に供給でいる様になれば当然、産業上の利用の可能性は拡大していく。
【符号の説明】
【００１２】
ａ  鉄芯
ｂ  ニクロム線
ｃ  電池
ｄ  磁力線
ｅ  磁性した釘
ｆ  永久磁石
ｇ  電流計
ｈ  電流計メーター
ｉ  地球
ｊ  地磁気
【図１】
2014025364.tif 000003
【図２】
2014025364.tif 000004
【図３】
2014025364.tif 000005
【図４】
2014025364.tif 000006
(57)【要約】【課題】太陽熱と風を利用し、草を乾燥させる容器を提供する。【解決手段】  通気が可能な網状の容器の中に草を入れる。上から雨が振り込まないように、容器には蓋を設ける。蓋は太陽光を通すように透明とする。また蓋は太陽熱により草から発生した蒸気による水滴が、再び草に落下しないように傾斜を付け、外部に落下させる。  以上を特徴とする容器である。【選択図】図２
2014025690.tif 000002
【特許請求の範囲】
【請求項１】
草を入れることが出来き、通気性のある網籠容器の上に、透明で傾斜の付いた蓋を設け、太陽熱と風を利用して、草の乾燥、水分を除去することを目的とした設備
【発明の詳細な説明】
【技術分野】
【０００１】本発明は、太陽熱と風を利用し、草を乾燥させる容器に関するものである。
【背景技術】
【０００２】主に春から秋にかけ除草された草は、水分を含んだまま、また泥や土が付着したまま「燃えるゴミ」として公共のゴミ焼却センター等で焼却される。
【発明の開示】
【発明が解決しようとする課題】
【０００３】そのために、次のような問題点があった。
草が水分を含んでいるため、また泥や土が付着しているため、焼却に際し、乾燥した草、泥や土が付着していない草に比べ、余分なエネルギーを要している。
本発明は、以上の問題を解決するためのものである。
【課題を解決するための手段】
【０００４】通気が可能な網状の容器の中に草を入れる。上から雨が振り込まないように、容器には蓋を設ける。蓋は太陽光を通すように透明とする。また蓋は太陽熱により草から発生した蒸気による水滴が、再び草に落下しないように傾斜を付け、外部に落下させる。
以上を特徴とする容器である。
【発明の効果】
【０００５】（イ）太陽熱、風の自然エネルギーを利用し草が乾燥できる。
（ロ）乾燥した草を焼却することにより、焼却に要するエネルギーが少なくなる。
（ハ）乾燥することによって、草に付着している泥、土も落ちやすく（分離し易く）なる。泥や土の付着が少なることも、焼却に要するエネルギーを少なくする効果がある。
【発明を実施するための最良の形態】
【０００６】以下本発明の形態について説明する。
（イ）架台（１）を設ける。
（ロ）側面、底面が網状の容器（２）を、架台（１）の上に設ける。
（ハ）容器（２）に太陽光を通す透明な蓋（３）を設ける。
（ニ）蓋（３）は、草から発生した蒸気による水滴が、外部に落ちるように、傾斜を付けた形状とする。
（ホ）蓋（３）は草の投入が出来るように脱着可能な仕様とする。
【図面の簡単な説明】
【０００７】
【図１】本発明の斜視図（蓋を脱着した状態）
【図２】本発明の斜視図（蓋を取付けた状態）
【符号の説明】
【０００８】１  架台
２  網状の容器
３  透明な蓋
【図１】
2014025690.tif 000003
【図２】
2014025690.tif 000004
(57)【要約】【課題】冷蔵庫の扉を開閉するとき冷蔵庫の内部の冷気の外部えの漏れを最小限に食い止めるため開放部を最小限にする対策が必要で冷蔵庫の省電をするための装置を提供する【解決手段】上記課題の解決手段は図面に示されているように、冷蔵庫の内部に間仕切り板や扉を設けることにより目的を達成できるようにした。冷蔵庫の大きさ・型により間仕切り板の大きさや数及び扉の形・数を自由に設計でき、単独でも双方取り付けも自由に選択できる【選択図】図３
2014025689.tif 000002
【特許請求の範囲】
【請求項１】
図１及び図２のように間仕切りを取り付けた冷蔵庫
【請求項２】
図３及び図４のように扉を取り付けた冷蔵庫
【発明の詳細な説明】
【技術分野】
【０００１】この発明は、冷蔵庫の内部の冷気を外部に漏れ出るのを防止し冷蔵庫の省電をするための装置に関するものである
【背景技術】
【０００２】現在冷蔵庫内部の前面に取り付けるシートが市販されている
【選考技術文献】
【発明の概要】
【発明が解決しようとする課題】
【０００３】以上に述べたシート状のものでは冷蔵庫を開閉する際に内部の冷気の漏れを防止するには不完全である
2014025689.tif 000003
【課題を解決するための手段】
【０００４】上記目的を達成するために冷蔵庫の内部に間仕切り板や図３に示すように扉を設けたものである
本発明は、以上の構成よりなる冷蔵庫の省電するための装置である
【発明の効果】
【０００５】上記の課題解決手段による作用効果は冷蔵庫への物の出し入れによる内部の冷気の外部えの漏れが最小限になり冷凍用モーターの稼動時間が短くなり、結果的に電気代の削減及びモーターの寿命の延長が期待できる
【図面の簡単な説明】
【０００６】
【図１】本発明の１つで、間仕切り板の１例を示した図である
【図２】間仕切り板がスライドできる装置の１例を示した図である
【図３】本発明の１つで、扉を４枚取り付けた場合の１例を示したもので観音扉の１例である
【図４】スライド式扉の１例を示した図である
【発明を実施するための形態】
【０００７】以下、本発明を実施するための形態について説明する
冷蔵庫内部に間仕切り板を設置する
冷蔵庫内部前面に扉を設ける
本発明は、以上のような構造である
これを使用するときは冷蔵庫の大きさ・型により間仕切りの数や扉の数を決めることにより、狙いの効果を十分発揮させることが可能となる
【図１】
2014025689.tif 000004
【図２】
2014025689.tif 000005
【図３】
2014025689.tif 000006
【図４】
2014025689.tif 000007
(57)【要約】      （修正有）【課題】内寸、特に奥行きがある場所の寸法を正確に計ることが出来る内寸用スケールを提供する。【解決手段】スケールの目盛りの初めをゼロではなく、スケール巻き取り式のケース２の寸法の値とすることで、内寸を正確に、計ることができる。【選択図】図１
2014025906.tif 000002
【特許請求の範囲】
【請求項１】
巻き取りスケールの目盛りの付け方を工夫する事で内寸法等を正確に計れる。
【請求項２】
スケールの材質、形状は何でもよく、巻き取り式であれば、適用できる。又、固定してもしなくてもよく、あらゆる場所の内寸法を計れる。
【発明の詳細な説明】
【技術分野】
【０００１】この発明は内側の寸法を測定する測定器。
【背景技術】
【０００２】内寸の測定は一般的に巻き取り式のスケールで片方を折り曲げて計るか、両側面の片方から仮の寸法を出し、もう片方の側面から仮の寸法までの寸法を計り、加えたものを内寸法として計測していた。
【先行技術文献】
【特許文献】
【０００３】
【非特許文献】
【０００４】
【発明の概要】
【発明が可決しようとする課題】
【０００５】従来のスケールでは奥行きのある場所の内側の寸法は正確に計れない。又、両側面の片方から仮の寸法を出し、もう片方の側面から仮の寸法までの寸法を計り、加えたものを内寸法とするのは、計算が必要で大変である。
【課題を解決するたの手段】
【０００６】この課題を解決するために、スケールの目盛りの初めをゼロではなく、スケール巻き取り式のケースの寸法の値とすることで、内寸を正確に、計ることができる。
【発明の効果】
【０００７】この発明のスケールを使用することにより、棚板など制作するときに、奥行きのある場所の内側の寸法を計る際、従来の巻き取り式のスケール等で計測するには、ある程度の熟練度も必要であり、正確に計れないのを、正確に計ることができる。また、簡単に誰でもが使いこなせるので、色々な場面で、利便性に優れてる。
【図面の簡単な説明】
【０００８】
【図１】目盛りを横から見る状態で測定。
【図２】目盛りを上から見る状態で測定。
【発明を実施するための形態】
【０００９】この発明の実施形態を図１、２に示す。スケールケースを側面の片方に当てて、スケールを伸ばして、ケース側で読みとって計る。
「他の実施形態」
図１、２ではスケールケースを５０ｍｍとしているが、いくつかの測定範囲を想定して、大小あっても良い、巻き取りの大きさで左右される。又、手で当てて測定しても良いが、距離があるときは、図１、２の▲３▼はスケールケースを固定する為の穴であり、仮止めしても、引っかけ等、色々方法があっても良く、全て目盛りの初めの値に反映させれば良い。
【符号の説明】
【００１０】▲１▼    目盛り読み取り箇所。
▲２▼    スケールケース
▲３▼    スケールケースを固定する穴
【図１】
2014025906.tif 000003
【図２】
2014025906.tif 000004
(57)【要約】【課題】空気圧縮機では部分的に高温になるホットスポットがあり、オイルの燃焼によるＣＯ，ＣＯ２の発生の可能性がある。【解決手段】各ホットスポットにカバーを付け、ウォータージャケットを作りホースで連結し冷却水を循環させる。【特許請求の範囲】
【請求項１】
呼吸用空気圧縮機能で部分的に高温になる部分をウォータージャケットカバーで覆い、冷却水で直接冷却する。各部分をホースで連結し循環させる。
【発明の詳細な説明】
【技術分野】
【００１】  この発明は、呼吸用空気圧縮機の高温になっている所をピンポイントで冷却する。
【背景技術】
【００２】  空気圧縮機では圧縮比が高ければ発熱量が増加します。一般には、空気式又は水冷式により圧縮機全体を冷却しますが、ホットスポットが発生しています。
【発明の概要】
【発明が解決しようとする課題】
【００３】  ホットスポットを冷却することでオイルの燃焼によるＣＯ，ＣＯ２の発生を低減させ、その部分の熱疲労を低減させる。
【発明を解決するための手段】
【００４】  ホットスポットの部分にウォータージャケットを設け、冷却水を循環させ外側から直接冷却する。
【発明の効果】
【００５】  高温部分の冷却によりＣＯ，ＣＯ２の発生を低減させ圧縮機本体の冷却効率を向上させる。運転中誤って触れても火傷をしない。
【発明を実施するための形態】
【００６】  水冷式では冷却水を循環させる機能があるのでその一部の冷却水を各ホットスポットのウォータージャケットをホースで連結し循環させる。
【００７】  空冷式では冷却水を循環させる機能を設け、冷却水を冷却する機能を設け。各ホットスポットのウォータージャケットをホースで連結し循環させる。
【図面の簡単な説明】
【００８】
【図１】本発明の構造の断面図。
【符号の説明】１・・・吸気弁
２・・・排気弁
３・・・ピストン
４・・・シリンダーブロック
５・・・本体のウォータージャケット
６・・・シリンダーヘッド又はヘッドプラグ
７・・・ウォータージャケットカバー
８・・・排気管
９・・・連結ホース
【図１】
2014025466.tif 000002
(57)【要約】      （修正有）【課題】本発明は、永久機関の基本原理となる技術、磁石とコイルで発電する仕組み及びそのような原理の発明方法を発見したもの。「何らかの起動エネルギーを必要すること」や「仕組み・装置における何らかの運動を必要とすること」無しにエネルギーを取り出すことを可能とする。【解決手段】本発明は、永久機関の基本原理（技術）として磁石にコイルを取り付けることにより何らかの運動を必要とせず電気が発生させること及び今後そのような原理を発明する方法（思考方法）として何らかの原理を基に仕組みを構築すること。【選択図】図１
2014025468.tif 000002
【特許請求の範囲】
【請求項１】
永久機関の基本原理となる技術、磁石とコイルで発電する仕組み。
【請求項２】
請求項１のような原理の発明方法（思考方法）。
【発明の詳細な説明】
【技術分野】
【０００１】  本発明は、永久機関の基本原理（技術）及び発明方法（思考方法）に関するものである。
【背景技術】
【０００２】  永久機関については、何らかの運動を伴うもの等々や、起動エネルギーを蓄積しつつそれ以上のエネルギーを発生させて循環させるモデルが考案されている。ただし、何らかの運動や起動エネルギーを必要としない仕組み・装置は未だ存在しないのが現状である。
【発明の概要】
【発明が解決しようとする課題】
【０００３】  解決しようとする問題点は、現在考案されている永久機関における「何らかの起動エネルギーを必要すること」や「仕組み・装置における何らかの運動を必要とすること」無しにエネルギーを取り出すことを可能とする点である。
【課題を解決するための手段】
【０００４】  本発明は、永久機関の基本原理（技術）として磁石にコイルを取り付けることにより入力・運動なしに電気が発生することを発見したもの。また、そのような原理を発明する方法（思考方法）を発見したもの。
後者については、例えば電磁石の原理（金属（鉄釘など）＋コイル＋電気により磁力が発生すること）を基に、磁力が発生している状態（磁石）＋コイルから電気を取り出すことが可能ではというような仮説から発見する思考方法。
そのことにより起動エネルギーや仕組み・装置の中で何らかの運動をさせることを必要とせずに静止した状態でエネルギーを取り出すこと（技術）及び更なる発明への発展可能性（思考方法）を最も主要な特徴とする。
【発明の効果】
【０００５】  本発明の基本原理（技術）については、磁石＋コイルを複数としたり、磁力を変化させたり、それらの配置等により増幅させることも可能であることも発見した。
技術面では、既存及び将来発展したエネルギー技術（バッテリーやエネルギー増幅技術等々）や資源活用技術（磁力の高い形状・性質の開発やより効果的なコイルのけいしつ形状・性質の開発等々）との組み合わせなどによる様々な応用・活用が期待できる。
具体的には、小型機器（例：携帯電話、時計、電動歯ブラシ等々）から各種家電・自家発電装置、バイク・自動車、さらには発電所の装置等々、電気をエネルギーとしたあらゆる装置への搭載が期待できる。
また、発明方法（思考方法）からは、何らかの解明された原理等を基に、浮力や重力等々といったその他のエネルギーについても更なる応用・発展可能性が期待できる。
更にはエネルギー問題の解消によりもたらされる豊かさ、新たな社会・まちづくりや平和な世の中への貢献も期待できる。
【図面の簡単な説明】
【０００６】
【図１】図１は実施方法を例示した説明図である。（実施例１）
【図２】図２は応用方法を例示した説明図である。（実施例２）
【発明を実施するための形態】
【０００７】磁石にコイルを取り付けることで発電することを発見した。
【図１】
2014025468.tif 000003
【図２】
2014025468.tif 000004
【手続補正書】
【提出日】平成25年7月29日(2013.7.29)
【手続補正１】
【補正対象書類名】明細書
【補正対象項目名】０００５
【補正方法】変更
【補正の内容】
【０００５】  技術面では、既存及び将来発展したエネルギー技術（バッテリーやエネルギー増幅技術等々）や資源活用技術（磁力の高い形状・性質の開発やより効果的なコイルの形状・性質の開発等々）との組み合わせなどによる様々な応用・活用が期待できる。
また、発明方法（思考方法）からは、何らかの解明された原理等を基に、浮力や重力等々といったその他のエネルギーについても更なる応用・発展可能性が期待できる。
更にはエネルギー問題の解消によりもたらされる豊かさ、新たな社会・まちづくりや平和な世の中への貢献も期待できる。
自身が電気について全くの素人であることもあるが、本発見において電気を完全にコントロールするには至ってはいない。発生電力はわずかであることは現在の技術である程度カバー出来る可能性があるのではと考えられる。しかし、磁石やコイルの組合せや帯磁性等々も関係している可能性があり、すべてを把握し尽してはいない状況である。
【手続補正２】
【補正対象書類名】図面
【補正対象項目名】図２
【補正方法】削除
【補正の内容】
【手続補正書】
【提出日】平成25年9月9日(2013.9.9)
【手続補正１】
【補正対象書類名】手続補正書
【補正対象項目名】手続補正３
【補正方法】追加
【補正の内容】
【手続補正３】
【補正対象書類名】明細書
【補正対象項目名】０００６
【補正方法】変更
【補正の内容】
【０００６】
【図１】図１は実施方法を例示した説明図である。（実施例１）
(57)【要約】【課題】  扇風機は風で涼しさを求めるもので、羽根も透明や水色など一色のものが主流であり、絵を楽しむものではなかった。【解決手段】  扇風機本体（１）の羽根（２）を回転させれば虹に見える五色等の複数の着色、赤色（３）黄色（４）緑色（５）青色（６）紫色（７）等を設けたことを特徴とする。【選択図】図１
2014025465.tif 000002
【特許請求の範囲】
【請求項１】
扇風機本体（１）の羽根（２）を回転させれば虹に見える五色等の複数の着色、赤色（３）黄色（４）緑色（５）青色（６）紫色（７）等を設けたことを特徴とする虹に見える扇風機の羽根。
【請求項２】
羽根に、虹の色順通りの図２の着色シール（８）を貼り付ければ同様の効果が期待できる請求項１記載の虹に見える扇風機の羽根。
【発明の詳細な説明】
【技術分野】
【０００１】  この発明は、虹に見える扇風機の羽根に関するものである。
【背景技術】
【０００２】  従来、扇風機は風で涼しさを求めるもので、羽根も透明や水色など一色のものが主流で羽根の絵を楽しむものではなかった。
【先行技術文献】
【特許文献】
【０００３】
【特許文献１】  特開２００４−１５１２９３号公報
【発明の概要】
【発明が解決しようとする課題】
【０００４】これには、次のような欠点があった。
扇風機の羽根の色が透明など単色のものが主流であり、絵などを楽しむものではなく、単調でそれに興味を示すものではなかった。
本発明は、以上のような欠点をなくすためになされたものである。
【課題を解決するための手段】
【０００５】  扇風機本体（１）の羽根（２）を回転させれば虹に見える五色等の複数の着色、赤色（３）黄色（４）緑色（５）青色（６）紫色（７）等を設ける。
本発明は、以上の構成よりなる虹に見える扇風機の羽根に関するものである。
【発明の効果】
【０００６】  羽根に虹色と言われている、五色から七色の着色をすることにより、羽根を回転させれば羽根と羽根の間の隙間部分の色が繋がり、虹が出たように見える。涼しさは同じで、綺麗で心の癒やしになるし、今までは羽根を意識してみる事がなかったが、虹らしきものが見えることにより意識して見るようになり、虹を見れば誰でも心地よくて、不快に感じる人はいないと思います。
虹は本来、飛行機などでまれに見える丸いもので、時々雨上がりなどに見ているものは、地上の色々なものが邪魔をして半円位までしか見えず、丸い虹を見た人は少ないと思いますが、この扇風機ではいつでもスイッチを入れれば丸い虹らしきものが見られます。また、扇風機の後の壁などの色で感じが変わって面白い。
さらに、特に子供がクーラーより電気代の安価なこの扇風機に興味を示して節電効果も期待できる。
【図面の簡単な説明】
【０００７】
【図１】  本発明のカバーを外した正面図である。
【図２】  本発明の他の実施例の着色シールの正面図である。
【図３】  本発明の他の実施例の羽根の正面図である。
【発明を実施するための形態】
【０００８】  以下、本発明を実施するための形態について説明する。
扇風機本体（１）の羽根（２）が五枚の場合は、同心円上の位置に羽根の外側から主虹にする場合は赤色（３）黄色（４）緑色（５）青色（６）紫色（７）の順番に着色する。副虹の場合は羽根の外側から紫色、青色、緑色、黄色、赤色に順番を逆にする。なお、羽根五枚のものは一枚から五枚に各五色、羽根三枚のものは一枚から三枚に各五色、赤色（３）黄色（４）緑色（５）青色（６）紫色（７）を着色する。その他の羽根の枚数の場合も同様の着色をする。ただ、虹色が着色枚数の多少により少ない場合は淡く、多い場合は濃く、濃淡ができるので濃くする場合は、なるべく多くの羽根に着色する。また、同心円上の着色は羽根の左右を同心円上で合わせれば曲線で結ばなくて直線で結んでもよい。
本発明は、以上の構成よりなっている。
本発明を使用するときは、スイッチを入れれば羽根が回転して羽根と羽根の隙間部分の色が繋がり、虹らしきものに見える。
また、諸説ある色に関してここではこの色にさせて頂きます。六色の場合は、外側から赤色、黄色、緑色、青色、藍色、紫色の順番に、七色の場合は、外側から赤色、橙色、黄色、緑色、青色、藍色、紫色の順番に着色すれば同様の効果が期待できる。なお、色順を逆にすれば副虹になる。
【０００９】  図３のように、例えば五枚羽根に赤色、黄色、緑色、青色、紫色の五色を二組同心円上の色の場所を変えずに、羽根を替えて不規則に着色したら、停止中は何だか分からないものが、回転させれば虹のようになり、ギャップが面白い。
【００１０】  羽根に虹の色順通りの図２の着色シール（８）を貼り付けても同様の効果が期待できる。
【００１１】  虹色にこだわらず、複数の色を混ぜても色々な円状の絵が楽しめる。
【符号の説明】
【００１２】    １  本体
２  羽根
３  赤色
４  黄色
５  緑色
６  青色
７  紫色
８  着色シール
【図１】
2014025465.tif 000003
【図２】
2014025465.tif 000004
【図３】
2014025465.tif 000005